(57)【要約】【課題】屑袋を閉じるまでの間、細断屑を袋外に飛散させることなく確実に回収することができるシュレッダを提供する。【解決手段】細断機構と、屑袋を開口状態に取り付ける屑袋設置部と、屑袋に収容した細断屑を均す屑均し機構と、開口した屑袋の口を閉じる袋閉じ機構とを備える。袋閉じ機構は、開口した屑袋の口縁の対向する二箇所を袋外側から着脱自在に保持する先端部を有した一対の巻取り軸を水平方向に向き合わせて備える。屑均し機構は、一対の巻取り軸同士を結ぶ仮想線の線上又は上方に回転軸を有し、その先端が開口した屑袋内で振り子状に揺動可能な１本の均し棒を備える。一対の巻取り軸を回転駆動することで、先端部に保持した口縁二箇所を両端として屑袋の口縁全体を水平な一本のロール状に閉口する。そして、均し棒が閉口した屑袋の上部に当接することにより揺動を強制停止したときは、細断機構の駆動を停止状態とする。【選択図】図１
2018061930.tif 000002
【特許請求の範囲】
【請求項１】
細断機構と、該細断機構から落下する細断屑を収容可能に屑袋を開口状態に取り付ける屑袋設置部と、前記屑袋に収容した細断屑を均す屑均し機構と、前記開口した前記屑袋の口を閉じる袋閉じ機構とを備え、
当該袋閉じ機構は、前記開口した前記屑袋の口縁の対向する二箇所を袋外側から着脱自在に保持する先端部を有した一対の巻取り軸を水平方向に向き合わせて備えると共に、
前記屑均し機構は、前記一対の巻取り軸同士を結ぶ仮想線の線上又は上方に回転軸を有して、その先端が前記開口した屑袋内で振り子状に揺動可能な１本の均し棒を備え、
前記袋閉じ機構は、前記一対の巻取り軸を回転駆動することで、前記先端部に保持した口縁二箇所を両端として前記屑袋の前記口縁全体を水平な一本のロール状に閉口すると共に、
前記屑均し機構は、前記均し棒が前記閉口した屑袋の上部に当接可能な揺動軌道を有して、当該当接により前記均し棒が揺動を強制停止したときは、前記細断機構の駆動を停止状態とすることを特徴としたシュレッダ。
【請求項２】
屑均し機構は、均し棒が回転軸の中心線からそれぞれ最大振り角が９０度未満の角度範囲で揺動する請求項１記載のシュレッダ。
【請求項３】
均し棒は、モータを動力源として、最大振り角でモータを反転させて揺動する請求項２記載のシュレッダ。
【請求項４】
屑袋設置部は、筐体と、該筐体に引き出し可能なフレームを備え、該フレームの対向位置それぞれに巻取り軸を設けた請求項１、２または３記載のシュレッダ。
【発明の詳細な説明】
【技術分野】
【０００１】
この発明は、細断屑を飛散することなく屑袋に確実に収容して回収するようにしたシュレッダに関するものである。
【背景技術】
【０００２】
シュレッダの主たる機能は文書を細断することであるが、これによって生じた細断屑を効率よく回収・処分できることも求められる。しかしながら、従来のシュレッダでは、ポリ袋などの屑袋に細断屑を満杯まで収容しようとすると、往々にして袋上層の細断屑が屑袋の外側に飛散してしまい、掃除の手間が生じていた。
【０００３】
その原因として、細断屑を屑袋に袋詰めして処分する場合、屑量が所定量となれば袋を取り出して、その開口部の二箇所を中央で結ぶなどして袋口を閉じるのが一般的であるが、この方法では、開口部を結び留めする際に袋が圧縮され、その風圧によって袋内の細断屑が袋口から舞い散ることが原因の一つである。特に、クロスカット式のシュレッダでは細断屑が微塵切りの状態となるため、僅かな風圧でも細断屑が舞い上がりやすい。
【０００４】
これに対して、細断屑が入った屑袋を自動的に梱包するシュレッダも提案されている（特許文献１・２参照）。このうち特許文献１のシュレッダは、大量の細断屑を圧縮して梱包する機構を有するが、圧縮機構を有する分、構造が大掛かりである。これに鑑み、特許文献２のシュレッダでは、屑袋を水平回転してねじり部（被結束部）を形成する回転機構と、このねじり部を結束する結束装置とを備えることで、全体の小型化と低コストを実現したとされている。
【０００５】
他方、細断屑の収容効率に関しては、次のような問題がある。即ち、細断屑の収容量（収容状態）はセンサ等で検知し、所定値となれば、袋が満杯になったと判断して細断を停止して、袋から細断屑が溢れ出ることを防止している。しかし、細断機構の排出直下に細断屑が重点的に積もって山型に収容されるなど、細断屑が不均一に（でこぼこに）収容されているときは、そのうちの一番出っ張っている部分を検知したときに細断を停止するため、まだ袋に空き容積が残っているにもかかわらず処分することになる。
【０００６】
この問題に対しては、従来、細断時に回転羽根などによって袋内の細断屑を均して、細断屑の偏りを防止するシュレッダが公知であり、本出願人も同様のシュレッダを提案している（特許文献３・４参照）。
【先行技術文献】
【特許文献】
【０００７】
【特許文献１】特開平６−１５１９２号公報
【特許文献２】特開２０１４−１６１７５３号公報
【特許文献３】特開２００２−２７３２５２号公報
【特許文献４】特開２００４−８９６５号公報
【発明の概要】
【発明が解決しようとする課題】
【０００８】
特許文献１のシュレッダは、極めて大型で、通常のオフィスに設置できる大きさではなく、コスト高でもあり、特許文献２のシュレッダは、用いる袋が上下とも開口した長尺なチューブ状をした専用のものであり、当初より底部が閉じられている汎用的なゴミ袋を使用することができない。また、特許文献２のシュレッダでは、細断屑が入った袋にねじり部を形成するに際して、袋の上下を固定しなければならず手間である。さらに、特許文献２のシュレッダは、細断屑が入った袋の開口部を固定した状態で、底部を回転テーブルにより水平回転させることによってねじり部を形成するが、この場合、ねじり部は開口部よりも下側に形成されることになるため、細断屑の収容量が犠牲となる。この点、袋口が大きい袋は、屑が投入しやすく一度に大量の屑を投入するのに適するが、上下方向に直径が均一な、伸縮性が低い袋の胴部途中に水平回転によってねじり部を形成するには、袋口の上縁から少なくとも袋口の周長に見合った高さ分の余裕がなければ、ねじり部で袋を密封することができないため、袋口が大きくなるほどねじり部の位置が下方にずれることになり、見かけ通りの収容量が得られなかった。
【０００９】
他方、従来の細断屑の均し機構では、均し部材が羽根などの板状物であったり、均し部材の駆動範囲が大きいことなどによって、駆動中に細断屑を袋外に撒き散らしてしまうという問題がある。
【００１０】
ところで、そもそも、従来は、均し機構と袋閉じ機構とを同時に採用したシュレッダはなく、袋閉じの前後にわたって細断屑の飛散を確実に防止しようとするシュレッダ自体が存在しなかったのである。
【００１１】
本発明は上述した課題を解決するためになされたもので、その目的とするところは、屑袋を閉じるまでの間、細断屑を袋外に飛散させることなく確実に回収することができるシュレッダを提供することである。
【課題を解決するための手段】
【００１２】
上述した目的を達成するために本発明では、細断機構と、該細断機構から落下する細断屑を収容可能に屑袋を開口状態に取り付ける屑袋設置部と、前記屑袋に収容した細断屑を均す屑均し機構と、前記開口した前記屑袋の口を閉じる袋閉じ機構とを備え、当該袋閉じ機構は、前記開口した前記屑袋の口縁の対向する二箇所を袋外側から着脱自在に保持する先端部を有した一対の巻取り軸を水平方向に向き合わせて備えると共に、前記屑均し機構は、前記一対の巻取り軸同士を結ぶ仮想線の線上又は上方に回転軸を有し、その先端が前記開口した屑袋内で振り子状に揺動可能な１本の均し棒を備える。
【００１３】
前記袋閉じ機構は、前記一対の巻取り軸を回転駆動することで、前記先端部に保持した口縁二箇所を両端として前記屑袋の前記口縁全体を水平な一本のロール状に閉口する。
【００１４】
一方、前記均し棒が前記閉口した屑袋の上部に当接可能な揺動軌道を有して、当該当接により前記均し棒が揺動を強制停止したときは、前記細断機構の駆動を停止状態とする。
【００１５】
上記手段によれば、細断機構の動作中、均し棒を揺動駆動することで、袋内に細断屑が偏って収容されることなく、ほぼ均一な状態で細断屑を収容することができる。したがって、屑袋の容積を余すことなく細断屑を収容することができる。ここで均し棒の揺動角度は回転軸の中心線からそれぞれ９０度以上とするなど、任意に設定することができるが、回転軸の中心線からそれぞれ最大振り角が９０度未満の角度範囲で揺動することが好ましい。袋一杯に収容した細断屑の上層部分の細断屑を勢いで袋外に撒き散らすことを防止できるからである。また、均し棒の揺動手段としては、モータを動力源として、最大振り角でモータを反転させて揺動させるようにする。
【００１６】
細断機構と屑均し機構の同期駆動によって屑袋に細断屑が満杯になれば、一対の巻取り軸を同時に回転駆動することによって、袋の口縁が横一線にほぼ同時に巻き取り開始されるため、一本のロール状となる間に袋口から細断屑が舞い散ることがない。なお、巻取り軸の回転方向、回転駆動源、並びに回転速度は限定しないが、回転方向については、一対の巻取り軸が互いに反対方向に回転して、口縁全体にねじりを加えるようにすれば、同方向に回転する場合よりも袋口の密封性が高まるうえ、当該袋口のねじりがほどけにくくなるため好ましく、また、駆動源については、電気モータであれば本装置を自動梱包装置とすることができ、さらに、回転速度については、口縁をゆっくりと巻き取るようにすれば、袋内の空気が袋口から脱気するとしても、前記細断屑が舞い上がるような風圧は発生せず、細断屑の飛散をより確実に回避することができる。
【００１７】
また、上記手段では、僅かな巻取りで袋の口縁全体を水平な一本のロール状として袋口を閉じることができるため、収容量の損失を最小限にとどめた状態で細断屑を収容することができる。なお、袋口を閉じるために、巻取り軸を何回転させるかも任意であって、巻取り数が多ければ袋の密封性は高くなるが、後述するように、最終的にロール状の袋口両端を結び留めるのであれば、必ずしも一回転以上、回転させることはない。
【００１８】
そして、このように口縁全体をロール状に閉口した後は、その両端を一対の巻取り軸から軸方向に引き抜くなどして取り外すのであるが、巻き取り完了後に、電源を切り、細断機構を再駆動すれば細断が再開され、既に巻き取り（袋閉じ）が完了した屑袋の周囲に細断屑が散らかることになる。これは、仮に装置側で巻き取り完了を記憶させたとしても、屑袋を交換したかどうかまでは判断できない。
【００１９】
そこで本発明では、前記均し棒が前記閉口した屑袋の上部に当接して揺動を強制停止し、これに伴って細断機構の駆動を停止状態とするようした。したがって、巻き取りが完了した屑袋が残置されている限り細断機構は駆動せず、それ以上の細断屑の発生を防止しつつ、ユーザーに袋交換を促すことができる。
【００２０】
なお、屑袋設置部は、筐体と、該筐体に引き出し可能な二本のフレームとを備え、該フレームの対向位置それぞれに巻取り軸を設けることができる。この手段によれば、屑袋に対する細断屑の投入から、満杯後の袋閉じまでが筐体内で行われ、筐体外に細断屑が漏出することがなく、また、フレームを引き出すことによって巻取り軸に対する屑袋の脱着が容易となる。
【発明の効果】
【００２１】
本発明のシュレッダは、細断中に屑均し機構によって細断屑を均一に収容することができ、容積に見合った量の細断屑を屑袋に収容でき、最終段階においても、細断屑が舞い散ることなく袋口をロール状に閉じることができるうえ、この状態では細断が不可能であるため、当該閉口した屑袋を取り出すまでの間、細断屑の散らかりを確実に防止することができる。
【図面の簡単な説明】
【００２２】
【図１】本発明の一実施形態に係るシュレッダ全体の側面視説明図
【図２】同、正面視説明図
【図３】同、袋閉じ機構を含むフレーム部分の斜視図
【図４】同、フレーム部分に屑袋をセットした斜視図
【図５】同、巻取り軸の側面図
【図６】同、屑袋の巻き取り動作を示したフレーム部分の斜視図
【図７】同、屑均し機構の正面図
【図８】同、細断機構単独駆動時におけるシュレッダ全体の（ａ）側面視概略図、（ｂ）正面視概略図
【図９】同、屑均し時におけるシュレッダ全体の（ａ）側面視概略図、（ｂ）正面視概略図
【図１０】同、袋閉じ時におけるシュレッダ全体の（ａ）側面視概略図、（ｂ）正面視概略図
【図１１】同、袋閉じ完了後の袋を示した説明図
【図１２】同、袋閉じ完了後の袋をさらに結び留めた状態を示した説明図
【図１３】同、袋閉じ完了後の均し棒の強制停止状態を示す側面視概略図
【発明を実施するための形態】
【００２３】
以下、本発明の好ましい実施の形態を添付した図面に従って説明する。図１・２は、本発明の一実施形態に係るシュレッダの全体を示したものであって、それぞれ一点鎖線で囲った領域のＡは細断機構、Ｂは屑袋設置部、Ｃは袋閉じ機構、Ｄは屑均し機構である。
【００２４】
これら機構のうち、細断機構Ａは、例えば不要書類を上方から投入して、下方から細断屑Ｔを落下させるものであって、従来公知のものを採用することができるため、詳細な説明を割愛する。
【００２５】
屑袋設置部Ｂは、屑袋ＴＢを開口状態で収容可能なキャビネット１（特許請求の範囲の記載における筐体に相当）が構成され、このキャビネット１に引き出し式のフレーム２を設けている。即ち、キャビネット１の左右側板には固定レール３を一対設けると共に、該固定レール３にスライドレール４をスライド自在に挿通して設けた二段式レールを構成すると共に、そのスライドレール４それぞれに左右一対のサイドバー５それぞれをスライド自在に挿通して、引き出し式のフレーム２を構成している。
【００２６】
このフレーム２は、図３に示すように、互いに平行するサイドバー５・５の引き出し手前側は、サイドバー５・５同士を連結バーなどで連結せず、端部をそのまま突き出しの状態として開放する一方、反対側の後側は連結バー６を架設して、平面視コ字型としている。また、サイドバー５それぞれの手前側先端には短尺な取っ手７を設けており、この取っ手７と連結バー６の左右二箇所には板ばね８を設けて、図４に示すように、屑袋ＴＢの口縁Ｅ四箇所を仮保持するようにしている。
【００２７】
次に、袋閉じ機構Ｃは、図３に示すように、左右のサイドバー５の中央部に設けた一対の巻取り軸９を主部材とし、これを回転駆動することによって、サイドバー５に開口状態で装着した屑袋ＴＢの口縁Ｅの対向する二箇所を保持して巻き取るもので、その先端部９ａ・９ａの端面には、図５に示したように、口縁Ｅを差し込む軸方向のスリット９ｂ・９ｂを形成している。また、スリット９ｂの内部には板ばね９ｃを設けて、巻取り前に口縁Ｅがスリット９ｂから不用意に外れることなく、より確実に袋口縁Ｅを保持できるようにしている。さらに、当該巻取り軸９の先端部９ａの外周面９ｄの形状を先細りのテーパ状として、巻取り完了後のロール状閉口部Ｓを巻取り軸９から軽い力で引き抜けるようにした。
【００２８】
当該巻取り軸９の回転駆動構成としては、キャビネット１の左右側板の内側手前の固定レール３の上に位置して、駆動源となるモータ１０を一対設け、その出力軸にはドライブギア１１を設けている。これに対して、巻取り軸９側では、サイドバー５の引き出し手前側にドライブギア１１と噛合可能な伝達ギア１２を設けている。この伝達ギア１２は、図４に示したように、フレーム２をキャビネット１から引き出した状態ではドライブギア１１と噛合しない一方、図６に示したように、フレーム２をキャビネット１に完全に仕舞ったときには、ドライブギア１１と噛合するようになっている。また、該伝達ギア１２の同軸上と巻取り軸９の回転軸上とにチェーンスプロケット１３・１４を設けて、両チェーンスプロケット１３・１４間にチェーン１５を架け渡している。
【００２９】
続いて、屑均し機構Ｄは、図７に示すように、１本の均し棒１６を水平状態の原点位置から先端部１６ａを下向きにして、回転軸１７により一定の角度範囲で振り子状に揺動可能に支持している。この実施形態では、回転軸１７の中心線ＣＬから左右それぞれ最大振り角が７０度となる角度範囲で揺動するようにしている。
【００３０】
均し棒１６は回転軸１７から屑袋ＴＢの内部に突出する長さを有する一方、回転軸１７は駆動源であるモータ１８の取付金具１９を介して袋閉じ機構Ｃにおける巻取り軸９同士を結ぶ仮想線ＶＬよりも上方に設けて、原点位置において均し棒１６を水平状態としたときに、当該均し棒１６が屑袋ＴＢと干渉しないようにしている。この実施形態では、回転軸１７を仮想線ＶＬよりも上方に設けているが、仮想線ＶＬの線上に位置させてもよい。
【００３１】
なお、図７において、２０ａ・２０ｂはモータ１８の制御スイッチであって、均し棒１６の後端部側に回転軸１７を介して一体的に設けたアクチュエータ２１によって操作され、均し棒１６を原点位置（水平状態）から上記角度範囲で揺動させるものである。即ち、この実施形態において均し棒１６は、水平状態にてアクチュエータ２１が原点位置設定用の制御スイッチ２０ａをオンすることで原点位置の姿勢にあると判断され、これを起点として細断機構Ａと同期して揺動を開始し、アクチュエータ２１が反転用制御スイッチ２０ｂをオンすれば原点位置に向かう方向にモータ１８の回転を反転し、その後、プログラムソフトにて反転用制御スイッチ２０ｂがオンされてからの経過時間を計測し、この計測時間が予め設定された時間となれば、再度、モータ１８の回転を反転する動作を繰り返すことによって、左右それぞれの最大振り角（７０度）の範囲で、扇状の揺動軌道Ｏを有して揺動するようにしている。この揺動軌道Ｏは、後述するように、屑袋ＴＢが袋閉じを完了した後は、その上部と干渉する。なお、細断を停止（細断機構Ａの駆動を停止）すれば、均し棒１６は上記プログラムソフトによって原点位置に復帰するようにモータ１８を制御する。また、反転用制御スイッチ２０ｂの設置角度やプログラムソフトの設定を変更することで、原点位置や７０度とした最大振り角を変更することができる。
【００３２】
上記構成のシュレッダの動作を説明すると、先ず、図４に示したように、屑袋ＴＢをサイドバー５に開口状態でセットする。このとき、屑袋ＴＢの口縁Ｅの対向する二箇所を袋閉じ機構Ｃの巻取り軸９に取り付けておき、この状態でサイドバー５を固定レール３側に押し込んで、開口状態の屑袋ＴＢを屑袋収納部Ｂにおけるキャビネット１内に収容する。
【００３３】
そして、通常どおりに書類等を細断するのであるが、本発明では、細断機構Ａと同期して屑均し機構Ｄを駆動するようにしているので、細断機構Ａを単独駆動したときには、図８に示すように細断機構Ａの直下に細断屑Ｔが山型に積もるのに対して、本発明では、均し棒１６の揺動によって、細断機構Ａから落下してくる細断屑Ｔを、図９に示すように、常に均一に均すことができる。また、本実施形態では、均し棒１６は左右に７０度ずつ揺動するため、細断屑Ｔを掻き上げて屑袋ＴＢの外部に細断屑Ｔを撒き散らすことがない。
【００３４】
この均し動作によって屑袋ＴＢが満杯になれば、細断機構Ａを駆動停止すると共に、屑均し機構Ｃも均し棒１６を原点位置（水平状態）として駆動を停止する一方、袋閉じ機構Ｃを駆動して、図１０に示したように、屑袋ＴＢの開口を閉じる。即ち、袋閉じ機構Ｃのモータ１０を駆動すると、モータ１０の動力は、ドライブギア１１、伝達ギア１２、チェーンスプロケット１３、チェーン１５、チェーンスプロケット１４、巻取り軸９の順に伝達され、巻取り軸９を回転駆動させることができる。これによって、図６に示したように、回転駆動する巻取り軸９の外周に屑袋ＴＢの口縁Ｅが巻き付けられ、最終的に、口縁Ｅ全体にわたって水平な一本のロール状の閉口部Ｓが形成される。
【００３５】
そして、サイドバー５を引き出して、閉口部Ｓの両端を巻取り軸９・９から引き抜くことで、図１１に示したように、閉口部Ｓにより口が閉じた状態で屑袋ＴＢを装置（キャビネット１）から取り出すことができる。その後、屑袋ＴＢを廃棄する際に、閉口部Ｓをどのように処理するかは任意であるが、図１２に示したように、ロール状の閉口部Ｓの両端を中央に引き寄せ、真結び等により結び留めることが簡便である。
【００３６】
このように、袋閉じが完了した屑袋ＴＢを取り出して、新しい袋に交換することで、上記動作を繰り返すのであるが、もし、屑袋ＴＢの取り出しを失念して、細断機構Ａを駆動すると、新たに発生する細断屑Ｔは袋閉じが完了した屑袋ＴＢに収容されることなく、キャビネット１内に撒き散らかされ、掃除の手間が生ずる。
【００３７】
このような問題に対応するために、細断機構Ａと屑均し機構Ｄとを同期させて制御する。具体的には、細断機構Ａを駆動開始したならば、袋閉じが完了した屑袋ＴＢの有無にかかわらず、これと同期して屑均し機構Ｄが駆動するのであるが、袋閉じが完了した屑袋ＴＢがキャビネット１に残置されたままであると、図１３に示したように、均し棒１６は上述した揺動軌道Ｏを描く初期に袋閉じが完了した屑袋ＴＢの上部に当接して、それ以降の揺動が不可能となり、強制停止する。なお、同図は、均し棒１６が図面手前から奥側に向かって揺動しようとする途中で屑袋ＴＢの上部に当接した強制停止状態を示している。そして、このような均し棒１６の強制停止を検知したならば、もしくは、均し棒１６の後端側アクチュエータ２１によって制御スイッチ２０が操作されなかった場合は、細断機構Ａの駆動を停止状態とするのである。これによって、袋閉じが完了した屑袋ＴＢを取り出し忘れたとしても、細断機構Ａが駆動することがなく、キャビネット１内を細断屑Ｔで汚すことを回避することができる。
【００３８】
なお、本発明は、上記実施形態に限定されず、例えば、袋閉じ機構Ｃにおける巻取り軸９の回転駆動源はモータでなくてもよく、手動ハンドルによって回転させることも可能である。
【００３９】
また、屑均し機構Ｄにおける均し棒１６の均し時の揺動角度は、上記実施形態のように、回転軸１７の中心線ＣＬから左右に９０度未満であることが好ましいが、これに限定するものではなく、屑袋ＴＢ内の細断屑Ｔを均し、且つ、袋閉じが完了した屑袋ＴＢの上部に当接可能な揺動軌道を有するものであればよい。
【００４０】
さらに、板ばね８は、セットした袋の口縁を袋閉じ機構Ｃにおける巻取り軸９が回転駆動するまで開口保持する仮止め具として機能するが、袋口を仮保持できるものであれば、既存のダブルクリップや洗濯ばさみの他、髪をとめるピン留めも利用可能で、さらに、袋をセットする対象（サイドバー５等）が磁性を有する場合は、磁石を利用して当該対象部材（サイドバー５）との間で袋口を仮保持の状態で挟み込むこともできる。
【符号の説明】
【００４１】
Ａ  細断機構
Ｂ  屑袋設置部
Ｃ  袋閉じ機構
Ｄ  屑均し機構
１  キャビネット
２  フレーム
３  固定レール
４  スライドレール
５  サイドバー
６  連結バー
７  取っ手
８  板ばね
９  巻取り軸
１０  モータ（袋閉じ機構）
１１  ドライブギア
１２  伝達ギア
１３・１４  チェーンスプロケット
１５  チェーン
１６  均し棒
１７  回転軸
１８  モータ（屑均し機構）
１９  取付金具
２０ａ  原点位置設定用制御スイッチ
２０ｂ  反転用制御スイッチ
２１  アクチュエータ
ＴＢ  屑袋
Ｅ  口縁
Ｔ  細断屑
Ｓ  閉口部
Ｏ  揺動軌道
【図１】
2018061930.tif 000003
【図２】
2018061930.tif 000004
【図３】
2018061930.tif 000005
【図４】
2018061930.tif 000006
【図５】
2018061930.tif 000007
【図６】
2018061930.tif 000008
【図７】
2018061930.tif 000009
【図８】
2018061930.tif 000010
【図９】
2018061930.tif 000011
【図１０】
2018061930.tif 000012
【図１１】
2018061930.tif 000013
【図１２】
2018061930.tif 000014
【図１３】
2018061930.tif 000015